(57)【要約】【課題】メインパートおよびスライドパートの間のスライド移動を案内するためのスライドヒンジ装置が開示される。【解決手段】スライドヒンジ装置は、スライドパートのスライド移動を案内するためにスライドパートの背面に装着されたスライドヒンジ部と、メインパートの前面に装着される固定ヒンジ部と、固定ヒンジ部に対して一軸を中心として回動可能に装着され、スライドヒンジ部と結束してスライドヒンジ部の移動を案内するリフトヒンジ部とを備える。スライドパートが開放された場合、リフトヒンジ部は固定ヒンジ部に対して回動し、スライドパートをメインパートに対して傾くように持ち上げることができ、個人携帯端末機のマイクとレシーバを口および耳にさらに近づくように接近させることができる。【選択図】図３
2007132508.tif 000002
【特許請求の範囲】
【請求項１】
メインパートおよびスライドパートの間のスライド移動を案内するためのスライドヒンジ装置において、
前記スライドパートのスライド移動を案内するために前記スライドパートの背面に装着されたスライドヒンジ部と、
前記メインパートの前面に装着される固定ヒンジ部と、
前記固定ヒンジ部に対して一軸を中心として回動可能に装着され、前記スライドヒンジ部と結束して前記スライドヒンジ部の移動を案内するリフトヒンジ部とを備え、
前記スライドパートが開放された場合、前記リフトヒンジ部は前記固定ヒンジ部に対して回動し、前記スライドパートを前記メインパートに対して傾くように持ち上げることを特徴とするスライドヒンジ装置。
【請求項２】
前記スライドヒンジ部は、前記スライドパートの背面に装着されるプレートおよび前記プレートの両側部で長さ方向に配置されるガイド部を含み、前記リフトヒンジ部は、前記プレートの両側面で前記ガイド部を受容するスライドガイド溝を含んで前記スライドヒンジ部のスライド移動を案内することを特徴とする請求項１に記載のスライドヒンジ装置。
【請求項３】
前記リフトヒンジ部は、前記一軸を中心として前記リフトヒンジ部の側面で扇形状で形成されたリフト側板を含み、前記リフト側板には前記リフトヒンジ部の移動軌跡に沿って複数の停止ホールが形成され、
前記固定ヒンジ部には前記停止ホールと選択的に結束する停止レバーが装着され、弾性的に支持される前記停止レバーの端部が前記停止ホール内に挿入されて前記リフトヒンジ部のリフトされた状態を維持することを特徴とする請求項１に記載のスライドヒンジ装置。
【請求項４】
前記停止レバーは階段状で形成されて前記固定ヒンジ部の上部に回動可能に装着され、前記停止レバーから前記停止ホールに対応する１つの端部には突起が形成されて前記停止ホールと結束し、前記１つの端部の対向する他の端部はスプリングによって支持され、前記突起が形成された１つの端部を前記リフト側板に密着させることを特徴とする請求項３に記載のスライドヒンジ装置。
【請求項５】
前記リフトヒンジ部および前記固定ヒンジ部の間を遮断するための傾斜板が提供され、前記傾斜板の１つの角の両端が前記リフトヒンジ部に回動可能に装着され、前記１つの角に対向する他の角の両端が前記固定ヒンジ部にスライディングおよび回動可能に装着され、前記リフトヒンジ部が前記固定ヒンジ部から持ち上がると同時に、前記傾斜板は前記リフトヒンジ部および前記固定ヒンジ部の間を遮断することを特徴とする請求項１に記載のスライドヒンジ装置。
【請求項６】
前記傾斜板の前記他の角の両端には外側に突出した突起が形成され、前記固定ヒンジ部には前記突起を受容するためのスリット状の溝が形成され、前記傾斜板の前記他の角が前記固定ヒンジ部でスライディングおよび回動運動をすることを特徴とする請求項５に記載のスライドヒンジ装置。
【請求項７】
前記リフトヒンジ部は側面で扇形状で形成されたリフト側板を含み、前記リフト側板には前記突起の移動軌跡に沿って形成されたアーク状のアークスリットが形成され、前記突起は前記アークスリットを通過して前記固定ヒンジ部と結束した状態を維持することを特徴とする請求項６に記載のスライドヒンジ装置。
【請求項８】
メインパートおよびスライドパートの間のスライド移動を案内するためのスライドヒンジ装置において、
前記スライドパートの背面に装着されるプレートおよび前記プレートの両側で長さ方向に配置されるガイド部を含むスライドヒンジ部と、
前記メインパートの前面に装着される下に向かって開放されたヒンジ受容空間を形成する固定ヒンジ部と、
前記ヒンジ受容空間の下端両側で水平軸を中心として回動可能に装着されて前記ヒンジ受容空間内で回動し、前記ガイド部のスライド移動を案内するためのスライドガイド溝および前記水平軸を中心として側面で扇形状で形成されたリフト側板を含むリフトヒンジ部と、
前記リフトヒンジ部と選択的に結束し、前記固定ヒンジ部に対して前記リフトヒンジ部を固定するための停止部材とを備え、
前記スライドパートが開放された場合、前記リフトヒンジ部は前記固定ヒンジ部に対して回動し、前記スライドパートを前記メインパートに対して傾くように持ち上げ、前記停止部材は前記持ち上げられたリフトヒンジ部を停止状態で維持することを特徴とするスライドヒンジ装置。
【請求項９】
前記リフト側板には前記リフトヒンジ部の移動軌跡中、終地点に対応する２つの停止ホールが形成され、前記停止部材は前記停止ホールと選択的に結束する停止レバーが装着され、前記停止レバーは前記固定ヒンジ部に回動可能に装着されて１つの端部が前記停止ホールに部分的に挿入されることができ、他の端部はスプリングによって弾性的に支持されることを特徴とする請求項８に記載のスライドヒンジ装置。
【請求項１０】
前記停止レバーは階段状で形成されて前記固定ヒンジ部の上部に回動可能に装着され、前記停止レバーで前記停止ホールに対応する前記１つの端部には突起が形成されて前記停止ホールと結束することを特徴とする請求項９に記載のスライドヒンジ装置。
【請求項１１】
前記リフトヒンジ部および前記固定ヒンジ部の間を遮断するための傾斜板が提供され、前記傾斜板の１つの角の両端が前記リフトヒンジ部に回動可能に装着され、前記１つの角に対向する他の角の両端が前記固定ヒンジ部にスライディングおよび回動可能に装着され、前記リフトヒンジ部が前記固定ヒンジ部から持ち上がると同時に、前記傾斜板は前記リフトヒンジ部および前記固定ヒンジ部の間を遮断することを特徴とする請求項８に記載のスライドヒンジ装置。
【請求項１２】
前記傾斜板の前記他の角の両端には外側に突出した突起が形成され、前記固定ヒンジ部には前記突起を受容するためのスリット状の溝が形成され、前記傾斜板の前記他の角が前記固定ヒンジ部でスライディングおよび回動運動をすることを特徴とする請求項１１に記載のスライドヒンジ装置。
【請求項１３】
メインパートと、
前記メインパート上で上下にスライド移動をするスライドパートと、
前記スライドパートの背面に装着されるプレートおよび前記プレートの両側部で長さ方向に配置されるガイド部を含むスライドヒンジ部と、
前記メインパートの前面に装着される下に向かって開放されたヒンジ受容空間を形成する固定ヒンジ部と、
前記ヒンジ受容空間の下端両側で水平軸を中心として回動可能に装着されて前記ヒンジ受容空間内で回動し、前記ガイド部のスライド移動を案内するためのスライドガイド溝および前記水平軸を中心として側面で扇形状で形成されたリフト側板を含むリフトヒンジ部と、
前記リフトヒンジ部と選択的に結束して前記固定ヒンジ部に対して前記リフトヒンジ部を固定するための停止部材とを備え、
前記スライドパートが開放された場合、前記リフトヒンジ部は前記固定ヒンジ部に対して回動し、前記スライドパートが前記メインパートに対して傾斜するように持ち上がり、前記停止部材は前記持ち上げられたリフトヒンジ部を停止状態で維持することを特徴とする個人携帯端末機。
【請求項１４】
前記メインパートの正面には前記リフト側板の移動を許容するための空間が提供されることを特徴とする請求項１３に記載の個人携帯端末機。
【請求項１５】
前記リフト側板には前記リフトヒンジ部の移動軌跡中、終地点に対応する２つの停止ホールが形成され、前記停止部材は前記停止ホールと選択的に結束する停止レバーが装着され、前記停止レバーは前記固定ヒンジ部に回動可能に装着されて１つの端部が前記停止ホールに部分的に挿入されることができ、他の端部はスプリングによって弾性的に支持されることを特徴とする請求項１３に記載の個人携帯端末機。
【請求項１６】
前記停止レバーは階段状で形成されて前記固定ヒンジ部の上部に回動可能に装着され、前記停止レバーで前記停止ホールに対応する前記１つの端部には突起が形成されて前記停止ホールと結束することを特徴とする請求項１５に記載の個人携帯端末機。
【請求項１７】
前記リフトヒンジ部および前記固定ヒンジ部の間を遮断するための傾斜板が提供され、前記傾斜板の１つの角の両端が前記リフトヒンジ部に回動可能に装着され、前記１つの角に対向する他の角の両端が前記固定ヒンジ部にスライディングおよび回動可能に装着され、前記リフトヒンジ部が前記固定ヒンジ部から持ち上がると同時に、前記傾斜板は前記リフトヒンジ部および前記固定ヒンジ部の間を遮断することを特徴とする請求項１３に記載の個人携帯端末機。
【請求項１８】
前記傾斜板の前記他の角の両端には外側に突出した突起が形成され、前記固定ヒンジ部には前記突起を受容するためのスリット状の溝が形成され、前記傾斜板の前記他の角が前記固定ヒンジ部でスライディングおよび回動運動をすることを特徴とする請求項１７に記載の個人携帯端末機。
【発明の詳細な説明】
【技術分野】
【０００１】
本発明は、個人携帯端末機に関し、より詳しくは、スライド方式の端末機においてマイクとレシーバをそれぞれ口と耳に近づけて位置させるための個人携帯端末機およびそのスライドヒンジ装置に関する。
【背景技術】
【０００２】
一般的に、個人携帯端末機は、外形や作動方式によってフリップ型、スイング型（ｓｗｉｎｇ−ｔｙｐｅ）、フォルダ型（ｆｏｌｄｅｒ−ｔｙｐｅ）およびスライディング型（ｓｌｉｄｉｎｇ−ｔｙｐｅ）に区分される。
【０００３】
フリップ型は、一般的に、液晶ディスプレイ（ＬＣＤ）のようなディスプレイ部およびキー入力部を同一の本体に形成し、下端にヒンジで連結されたカバーを用いてキー入力部を保護する形式である。
【０００４】
フォルダ型は、２つのフォルダパートをヒンジで連結して開閉することができ、互いに向かい合う面にそれぞれメインディスプレイ部およびキー入力部を形成する形式である。フォルダ型の個人携帯端末機は、２つのフォルダを閉めてディスプレイ部およびキー入力部を保護することができ、フォルダを開いて電話を受信したり、キー入力を介して目的の機能を遂行したりすることができる。
【０００５】
スイング型の個人携帯端末機は、２つの端末機本体が互いに向かい合うように配置され、一つの端末機本体が残りの端末機本体に平行な状態を維持しながら３６０度回動して移動する。このような形式をスイング型の個人携帯端末機と指称し、それぞれ端末機本体の位置を自由に指定することができるため、最近多くの人気を集めている。
【０００６】
最後に、スライディング型の個人携帯端末機は、２つのスライディングパートを互いに重ねて配置し、スライディングパートにディスプレイ部およびキー入力部がそれぞれ同じ方向に向かうようにする形式の個人携帯端末機である。一般的に、スライディング型の個人携帯端末機は、前方のスライディングパートを相対的にスライディング移動させ、後面に隠されたディスプレイ部またはキー入力部を露出させることができる。
【０００７】
図１は、従来のスライド型端末機が開いた状態を示した斜視図であり、図２は、図１のスライド型端末機の使用例を説明するための図である。
【０００８】
図１および図２を参照すると、従来のスライド型端末機（１）はメインパート（１０）およびスライドパート（２０）を含み、スライドパート（２０）がメインパート（１０）に対して上下方向にスライド移動してキーパッド開閉および電話受信などを遂行する。
【０００９】
メインパート（１０）には無線を送受信するためのアンテナが設置されており、その正面下端には音声を送信するためのマイク（１５）が内蔵されている。また、マイク（１５）に対応し、スライドパート（２０）の正面上端には相手の音声を受信するためのスピーカまたはレシーバ（２５）が内蔵されている。
【００１０】
前記のように、従来構造によって構成された携帯用端末機は、メインパート（１０）に対してスライドパート（２０）が直線運動をするため、スライドパート（２０）を上側に開いて通話をする場合、スライドパート（２０）のレシーバ（２５）をユーザの耳に近づけるとメインパート（１０）のマイク（１５）がユーザの口から遠くなるため通話感度が低くなり、同じようにメインパート（１０）のマイク（１５）をユーザの口に近づけるとスライドパート（２０）のレシーバ（２５）がユーザの耳から遠くなるため受話感度が低くなるという問題点がある。
【特許文献１】韓国特許１０−２００４−００６２１３１号明細書（２００４年７月７日公開）
【特許文献２】韓国特許１０−２００５−００５６６０９号明細書（２００５年６月１６日公開）
【特許文献３】韓国特許１０−２００５−００７０２２０号明細書（２００５年７月７日公開）
【特許文献４】特開２００５−６１５５９号公報（２００５年３月１０日公開）
【発明の開示】
【発明が解決しようとする課題】
【００１１】
本発明は、上述した問題点を解決するためのものであり、スライドパートのレシーバを耳に密着させた状態でもメインパートのマイクを口に近づけて接近させることができる個人携帯端末機およびそのスライドヒンジ装置を提供することを目的とする。
【００１２】
また、スライドパートをメインパートに対して相対的に移動させても、その内部を安全に遮断および保護することができる安全手段を備える個人携帯端末機およびそのスライドヒンジ装置を提供することを他の目的とする。
【課題を解決するための手段】
【００１３】
上述の目的を達成するため、本発明の一実施例によると、スライドヒンジ装置は、スライドパートに装着されるスライドヒンジ部と、メインパートに固定的に装着される固定ヒンジ部と、前記固定ヒンジ部に回転可能に装着されてスライドヒンジ部のスライド運動を案内するリフトヒンジ部とを含む。スライドヒンジ部は、リフトヒンジ部に沿ってスライド運動をすることができるため、従来のスライド型ヒンジ装置のようにスライドパートと共に上下に移動することができる。但し、従来のスライドヒンジ装置は上下移動のみが可能である反面、本発明のスライドヒンジ装置はリフトヒンジ部が固定ヒンジ部に対する旋回運動が可能であるため、スライドパートを移動させた後、スライドパートをメインパートに対して傾くように持ち上げることができる。
【００１４】
スライドパートおよびメインパートが互いに干渉するため、スライドパートが閉まっている状態や移動する間、リフトヒンジ部は旋回運動をすることができない。但し、スライドパートが開放された状態においては、両本体間の干渉から解放されるため、リフトヒンジ部は固定ヒンジ部に対して旋回運動をしてスライドパートをメインパートに対して傾くように持ち上げることができる。この時、リフトヒンジ部および固定ヒンジ部を連結する一軸は、固定ヒンジ部の上端または下端に形成されるのが好ましい。
【００１５】
スライドヒンジ部が上端または下端に移動した状態において、リフトヒンジ部は固定ヒンジ部に対して旋回運動が可能であり、その結果、スライドパートおよびメインパートが折り曲げられた状態を維持することができる。従って、スライドパートのレシーバ（ｒｅｃｅｉｖｅｒ）を耳に近づけて密着させた状態でも、メインパートのマイク（ｍｉｃｒｏｐｈｏｎｅ）を更に口に近づけて接近させることができる。
【００１６】
本明細書において、個人携帯端末機（Ｐｅｒｓｏｎａｌ  Ｐｏｒｔａｂｌｅ  Ｄｅｖｉｃｅ）とは、ＰＤＡ（Ｐｅｒｓｏｎａｌ  Ｄｉｇｉｔａｌ  Ａｓｓｉｓｔａｎｔ）、スマートフォン（Ｓｍａｒｔｐｈｏｎｅ）、ハンドヘルド（ｈａｎｄｈｅｌｄ）ＰＣ、携帯電話、ＭＰ３プレーヤなどのような携帯用の電気電子装置であって、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（ＩｒＤＡ）、有無線ＬＡＮカードのような所定の通信モジュールを備えており、マルチメディア再生機能を遂行する所定のマイクロプロセッサを搭載することによって、所定の演算能力を備えた端末機を通称する概念として用いられる。
【発明の効果】
【００１７】
本発明のスライドヒンジ装置は、リフトヒンジ部を用いてスライドヒンジ部を傾くように持ち上げることができ、その結果、端末機においては、スライドパートのレシーバを耳に密着させた状態でもメインパートのマイクを口に近づけて接近させることができる。
【００１８】
また、スライドパートをメインパートに対して相対的に移動させても、傾斜板を用いてその内部を安全に遮断および保護することができる。
【発明を実施するための最良の形態】
【００１９】
以下、添付された図面を参照して、本発明の好ましい実施例を詳細に説明するが、本発明が実施例によって制限されたり限定されるものではない。
【００２０】
図３は、本発明の一実施例による個人携帯端末機の開放およびリフトされた状態を説明するための斜視図であり、図４は、図３の個人携帯端末機の使用例を説明するための図である。
【００２１】
図３および図４を参照すると、個人携帯端末機（１００）は、メインパート（１１０）およびスライドパート（１２０）を含み、スライドパート（１２０）はメインパート（１１０）に対して上下にスライド移動をすることができる。また、スライドパート（１２０）が上端に移動した場合には、メインパート（１１０）に対して傾くように持ち上げることができる。
【００２２】
後述するように、スライドパート（１２０）およびメインパート（１１０）の間にはスライドヒンジ装置が装着され、本実施例によるスライドヒンジ装置は、スライドパート（１２０）の上下スライド移動はもちろん、スライドパート（１２０）の下端を中心として前後に旋回する旋回移動を案内することができる。
【００２３】
図４に示されたように、スライドパート（１２０）およびメインパート（１１０）を所定の角度に折り曲げることができ、ユーザはレシーバとマイクをそれぞれ耳と口に近づけて位置させることができる。
【００２４】
本実施例においては、スライドパートがメインパートに対して上部に移動して開放された状態を維持し、スライドパートが移動経路中、上端でメインパートに対して前方に旋回運動をすることができる。しかし、スライドパートは反対である下部にも移動することができ、移動経路中、下端でメインパートに対して傾いて旋回運動をすることもできる。当業者であれば後述するスライドヒンジ装置の構造を適用し、反対方向に移動するスライドヒンジ装置および端末機を容易に製作することができるであろう。
【００２５】
図５は、図３の個人携帯端末機の作動状態を説明するための側面図である。
【００２６】
図５を参照すると、メインパート（１１０）に対してスライドパート（１２０）は上下にスライド移動をすることができ、スライドパート（１２０）が上端に位置する時には傾くように持ち上げることができる。スライドパート（１２０）が下端に位置する場合、スライドパート（１２０）の下端部がメインパート（１１０）によって支持されるため、スライドパート（１２０）は旋回することはできないが、スライドパート（１２０）が上端に移動する場合には、メインパート（１１０）がスライドパート（１２０）の下端部をこれ以上支持することは不可能であるため、スライドパート（１２０）が持ち上がることが可能となる。
【００２７】
図６は、図３の個人携帯端末機が閉まった状態におけるスライドヒンジ装置を説明するための斜視図であり、図７は、図３の個人携帯端末機が開放された状態におけるスライドヒンジ装置を説明するための斜視図であり、図８は、図３の個人携帯端末機がリフトされた状態におけるスライドヒンジ装置を説明するための斜視図である。また、図９は、図６ないし図８のスライドヒンジ装置を説明するための分解斜視図である。
【００２８】
図６ないし図９を参照すると、スライドヒンジ装置（２００）は、スライドヒンジ部（２１０）と、固定ヒンジ部（２２０）と、リフトヒンジ部（２３０）と、停止部材（２４０）とを含む。スライドヒンジ部（２１０）は、図５のスライドパート（１２０）の背面に装着され、固定ヒンジ部（２２０）はメインパート（１１０）の正面に固定的に装着される。但し、リフトヒンジ部（２３０）が固定ヒンジ部（２２０）の下端に位置した水平軸（Ｉ）を中心として旋回可能に装着され、スライドヒンジ部（２１０）はリフトヒンジ部（２３０）にスライド移動が可能に結束し、一定方向に沿って往復運動をすることができる。スライドヒンジ装置（２００）の構造のみを考慮すると、スライドヒンジ部（２１０）およびリフトヒンジ部（２３０）は、固定ヒンジ部（２２０）に対していつでも旋回運動が可能である。しかし、スライドヒンジ装置（２００）が装着されるスライドパート（１２０）およびメインパート（１１０）の間の物理的干渉により、スライドヒンジ部（２１０）およびリフトヒンジ部（２３０）は、スライドパート（１２０）が開放された場合に限って固定ヒンジ部（２２０）に対して回動することができ、スライドパート（１２０）をメインパート（１１０）に対して傾くように持ち上げることができる。
【００２９】
スライドヒンジ部（２１０）は、スライドパートの背面に装着されるプレート（２１２）およびプレート（２１２）の両側部で長さ方向に配置するガイド部（２１４）を含む。ガイド部（２１４）は突起または棒状で形成され、プレート（２１２）の側面で上下方向に提供される。リフトヒンジ部（２３０）はプレート（２１２）の両側面を受容する構造を有し、その内部にはガイド部（２１４）を受容するスライドガイド溝（２３２）を含む。従って、スライドヒンジ部（２１０）は、ガイド部（２１４）およびスライドガイド溝（２３２）の相互作用によって一定経路に沿って往復直線運動をすることができる。
【００３０】
固定ヒンジ部（２２０）は略コの字型で形成され、下に向かって開放されたヒンジ受容空間（２２２）を提供し、メインパートの正面に固定的に装着される。そして、ヒンジ受容空間（２２２）の内側にはリフトヒンジ部（２３０）が位置し、固定ヒンジ部（２２０）の下端両側に回動可能に結束するため、ヒンジ受容空間（２２２）内で前後に旋回することができる。
【００３１】
図９を参照すると、リフトヒンジ部（２３０）は、水平軸（Ｉ）を中心として側面に提供される扇形状のリフト側板（２３４）を含む。リフト側板（２３４）にはリフトヒンジ部（２３０）の移動経路両端に対応する２つの停止ホール（２３６）が形成される。また、停止ホール（２３６）と隣接するようにリフト側板（２３４）には、円弧状でアークスリット（２３８）が形成される。停止ホール（２３６）は、リフトヒンジ部（２３０）の開いた状態または閉まった状態を維持するためのものであり、アークスリット（２３８）は後述する傾斜板に関するものである。
【００３２】
プレート（２１２）の両側部には棒状のガイド部（２１４）が提供され、ガイド部（２１４）はリフトヒンジ部（２３０）に形成されたホールまたは溝に沿って移動しながら、スライドヒンジ部（２１０）の運動を案内することができる。また、ヒンジ受容空間（２２２）にリフトヒンジ部（２３０）が位置しながら、水平軸（Ｉ）を中心として上下に移動することができ、停止部材（２４０）はリフトヒンジ部（２３０）が開いた状態または閉まった状態を維持することができる。
【００３３】
図１０は、図６ないし図８のスライドヒンジ装置を説明するための背面斜視図である。
【００３４】
図１０を参照すると、停止部材（２４０）は、固定ヒンジ部（２２０）の背面上端に装着される。停止部材（２４０）はリフトヒンジ部（２３０）と選択的に結束し、固定ヒンジ部（２２０）に対してリフトヒンジ部（２３０）を固定するためものであって、停止レバー（２４２）およびスプリング（２４４）を含む。また、停止レバー（２４２）およびスプリング（２４４）は左右対称的に形成され、両側リフト側板（２３４）と同時に結束または解除されることができる。
【００３５】
停止レバー（２４２）は階段状で形成され、停止ホール（２３６）と選択的に結束することができる。停止レバー（２４２）から停止ホール（２３６）に対応する１つの端部には突起が形成されて停止ホール（２３６）と結束することができ、その反対端部はスプリング（２４４）によって支持され、突起が形成された端部をリフト側板（２３４）に密着させる力を提供することができる。停止レバー（２４２）は１段階または２段階状で形成される。
【００３６】
図１１および図１２は、図１０のスライドヒンジ装置の作動を説明するための斜視図であり、図１３は、リフトされた状態のスライドヒンジ装置を説明するための側面図であり、図１４は、停止レバーの作動を説明するための背面図である。
【００３７】
図１１ないし図１４を参照すると、ユーザは外部のボタン（２４６）を介して停止レバー（２４２）を押すことができ、停止レバー（２４２）は回動して端部の突起が停止ホール（２３６）から離脱することができる。この時、リフトヒンジ部（２３０）は固定ヒンジ部（２２０）に対して回動し、スライドヒンジ部（２１０）およびスライド本体が持ち上がることができる。
【００３８】
リフトヒンジ部（２３０）が前に移動した後、後に位置した停止ホール（２３６）が停止レバー（２４２）の突起位置に対応して位置し、ユーザがボタン（２４６）を解除すると、停止レバー（２４２）が原位置に復帰してリフトヒンジ部（２３０）を再び固定された状態で維持することができる。
【００３９】
図１５は、本発明の一実施例によるスライドヒンジ装置を説明するための背面斜視図である。
【００４０】
図１５を参照すると、リフトヒンジ部（２３０）および固定ヒンジ部（２２０）の間を遮断するための傾斜板（２５０）が提供される。傾斜板（２５０）の１つの角の両端はリフトヒンジ部（２３０）に回動可能に装着され、傾斜板（２５０）の反対側の角の両端は固定ヒンジ部（２２０）にスライディングおよび回動可能に装着される。具体的に、傾斜板（２５０）の反対側の角の両端には外側に突出した突起が形成され、固定ヒンジ部（２２０）には突起を受容するためのスリット状の溝（２２４）が形成される。従って、傾斜板（２５０）が固定ヒンジ部（２２０）でスライディングおよび回動運動をすることができる。また、リフト側板（２３４）には突起の移動軌跡に沿って形成されたアーク状のアークスリット（２３８）が形成される。アークスリット（２３８）は突起の移動を妨害しないためのものであって、アークスリット（２３８）を通過して固定ヒンジ部（２２０）の溝（２２４）と結束した状態を維持することができる。
【００４１】
リフトヒンジ部（２３０）が固定ヒンジ部（２２０）から持ち上がると同時に、傾斜板（２５０）はリフトヒンジ部（２３０）および固定ヒンジ部（２２０）の間を遮断することができ、リフト側板（２３４）の側部で開放される部分を遮断することができる。
【００４２】
以上のように、本発明の好ましい実施例を参照して説明したが、該当の技術分野の熟練した当業者にとっては添付の請求範囲に記載された本発明の思想および領域から逸脱しない範囲内で、本発明の多様な修正および変更が可能であることを理解できるであろう。
【図面の簡単な説明】
【００４３】
【図１】従来のスライド型端末機が開いた状態を示した斜視図である。
【図２】図１のスライド型端末機の使用例を説明するための図である。
【図３】本発明の一実施例による個人携帯端末機の開放およびリフトされた状態を説明するための斜視図である。
【図４】図３の個人携帯端末機の使用例を説明するための図である。
【図５】図３の個人携帯端末機の作動状態を説明するための側面図である。
【図６】図３の個人携帯端末機が閉まった状態におけるスライドヒンジ装置を説明するための斜視図である。
【図７】図３の個人携帯端末機が開放された状態におけるスライドヒンジ装置を説明するための斜視図である。
【図８】図３の個人携帯端末機がリフトされた状態におけるスライドヒンジ装置を説明するための斜視図である。
【図９】図６ないし図８のスライドヒンジ装置を説明するための分解斜視図である。
【図１０】図６ないし図８のスライドヒンジ装置を説明するための背面斜視図である。
【図１１】図１０のスライドヒンジ装置の作動を説明するための斜視図である。
【図１２】図１０のスライドヒンジ装置の作動を説明するための斜視図である。
【図１３】リフトされた状態のスライドヒンジ装置を説明するための側面図である。
【図１４】停止レバーの作動を説明するための背面図である。
【図１５】本発明の一実施例によるスライドヒンジ装置を説明するための背面斜視図である。
【符号の説明】
【００４４】
１００    個人携帯端末機
１１０    メインパート
１２０    スライドパート
２００    スライドヒンジ装置
２１０    スライドヒンジ部
２２０    固定ヒンジ部
２３０    リフトヒンジ部
２４０    停止部材
【図１】
2007132508.tif 000003
【図２】
2007132508.tif 000004
【図３】
2007132508.tif 000005
【図４】
2007132508.tif 000006
【図５】
2007132508.tif 000007
【図６】
2007132508.tif 000008
【図７】
2007132508.tif 000009
【図８】
2007132508.tif 000010
【図９】
2007132508.tif 000011
【図１０】
2007132508.tif 000012
【図１１】
2007132508.tif 000013
【図１２】
2007132508.tif 000014
【図１３】
2007132508.tif 000015
【図１４】
2007132508.tif 000016
【図１５】
2007132508.tif 000017